(57)【要約】【課題】  ボールを自動的に回収してボールトス装置へと戻すことによりボールをトスする介添え者を不要として効率的なトスバッテイング練習が行われるようにする。【解決手段】  第１フレーム体５と第２フレーム体６と第３フレーム体７を組み合わせたフレーム体４に打球受けネット体８と球速吸収ネット体９と集球シート体１０を掛け止めして内部に打球打ち込み空間部３を構成し、打球打ち込み空間部３に打ち込まれたボールＢを確実に捕らえてその球速を吸収するとともに集球シート体１０上に落下させてボール回収孔２５に集め、ボール供給筒体１を介してボールトス装置２へと自動的に再供給する。【選択図】  図１
0003122137.tif 000002
【実用新案登録請求の範囲】
【請求項１】
複数のロッド部材を組み合わせて全体略枠状に構成される第１フレーム体と、複数のロッド部材を組み合わせて前記第１フレーム体の横幅と略等しい横幅を有する全体略逆Ｕ字状に構成され、前記第１フレーム体の両側部位に対して相対する上方部位が回動自在に組み合わされることにより底部が前記第１フレーム体の底部に対して所定の間隔を以って展開される第２フレーム体と、  複数のロッド部材を組み合わせて前記第２フレーム体の横幅と略等しい長さを有する全体略横向きコ字状に構成され、前記第２フレーム体の両側上方部位間を連結して背面側に突出される第３フレーム体と、  展開した前記第１フレーム体と前記第２フレーム体によって構成される空間部と略等しい外形寸法を有し前面部と底面部とが開放された略箱状体に構成されるとともに各稜線部位に掛け止め部が設けられ、各掛け止め部を前記第１フレーム体と前記第２フレーム体に掛け止めされるとともに天井部の背面側稜線部位を前記第３フレーム体に吊り下げられることにより内部に打球打ち込み空間部を構成する打球受けネット体と、  前記打球受けネット体の天井部から吊り下げられ、前記打球打ち込み空間部に打ち込まれたボールの球速を吸収する球速吸収ネット体と、  全体略矩形枠状を呈する立ち上り外周部と、この立ち上り外周部の下端部に沿って外周縁を全周に亘って一体化されるとともに略中央部にボール回収孔が設けられた底面部とから構成され、前記立ち上り外周部を前記第１フレーム体と前記第２フレーム体の下方部位に掛け合わすことにより前記底面部が下方に撓んで前記ボール回収孔を頂点部位とする略漏斗状を呈して前記打球打ち込み空間部の底面部を構成する集球シート体と、  前記集球シート体の前記ボール回収孔と前記打球打ち込み空間部の開放された前面部側に位置して設置されたボールトス装置との間を接続して設けられ、前記打球打ち込み空間部に打ち込まれて前記集球シート体により回収されたボールを前記ボールトス装置へと供給するボール供給筒体  とから構成されることを特徴とするトスバッテイング用ネット装置。
【請求項２】
前記打球受けネット体が、前記第３フレーム体に対して背面部が弛んだ状態で吊り下げられることを特徴とする請求項１に記載のトスバッテイング用ネット装置。
【請求項３】
前記集球シート体が、前記底面部と前記第１フレーム体の底辺部との間に張架した引張り弾性手段の弾性力により、漏斗状形状を保持されることを特徴とする請求項１又は請求項２に記載のトスバッテイング用ネット装置。
【考案の詳細な説明】
【技術分野】
【０００１】
本考案は、トスバッテイング練習に用いられてバットで打たれたボールを受け止めるトスバッテイング用ネット装置に関する。
【背景技術】
【０００２】
トスバッテイング練習は、一般にバッターがコーチ等の介添者からトスされたボールを打ち込むことによりバッテイングスイングやミート感覚を知覚するとともにコーチ等からの指導を受ける有効な練習方法である。トスバッテイング練習においては、バッターの前方にトスバッテイング用ネット装置を設置するとともにこのトスバッテイング用ネット装置の傍らに位置した介添者がバケツ等から取り出したボールをバッターに向けてトスすることにより、バッターがトスバッテイング用ネット装置に向かってボールを打ち込むようにする。
従来のトスバッテイング用ネット装置は、一般に枠状のフレーム体と、このフレーム体に外周部を掛け止めされたネット体とから構成されており、ボールが打ち込まれるとネット体が変形して球速を吸収してその場に落下させるようにする。トスバッテイング練習においては、バケツに溜めたボールが無くなると練習を中断してトスバッテイング用ネット装置の周囲に散らばったボール拾い集めなければならなかった。例えば特許文献１や特許文献２には、ネット体に打ち込まれたボールを回収するポケット部を設けたトスバッテイング用ネット装置が開示されている。かかるトスバッテイング用ネット装置によれば、ネット体に当たって落下するボールがポケット部に回収されることでボールの拾い集めの手間を軽減する。
【特許文献１】特開２００２−２３３６０２公報
【特許文献２】特開２００４−２０２１６１公報
【考案の開示】
【考案が解決しようとする課題】
【０００３】
ところで、従来のトスバッテイング用ネット装置においては、枠状のフレーム体に１枚のネット体を掛け合わせた構造であることから、ネット体の張り具合やボールの球速等によりネット体に生じた大きな反発力によってボールが周囲に跳ね飛んでしまうことがありボール拾いに時間がかかって効率的なトスバッテイング練習を行い得ないといった問題があった。また、従来のトスバッテイング用ネット装置においては、打たれたボールの方向がずれてフレーム体に当たることにより、バッターや介添者に向かって強く跳ね返ってくることもあった。
【０００４】
上述した各特許文献に開示されたトスバッテイング用ネット装置においても、基本的な構成を同様とすることにより、ネット体に強く当たったボールがせっかく設けたポケット部内に落下せず周囲に散らばってしまうといった問題がある。また、かかるトスバッテイング用ネット装置においても、バケツ内のボールが無くなった場合にはトスバッテイング練習を中断してポケット部に溜まったボールを移し替えなければならず、練習中断による効率低下の問題が解決されない。
【０００５】
また、特許文献に開示されたトスバッテイング用ネット装置を含む従来のトスバッテイング用ネット装置においては、一体に構成されることから取り扱いが極めて面倒であり、ほとんどが野球場等の練習場所から適宜の場所に持ち出されて使用されることは無い。従来のトスバッテイング用ネット装置においては、大形のボール受け面を有することによりボールの方向に多少のずれがあっても受け止めることを可能とするが、設置のための持ち運びや保管の負荷がますます大きいといった問題があった。
【０００６】
したがって、本考案は、ボールを自動的にトスするボールトス装置と組み合わせて使用することにより打ち込まれたボールを自動的に回収してボールトス装置へと戻すことによりボールをトスする介添え者を不要として効率的なトスバッテイング練習が行われるようにするとともに打ち込まれたボールの球速を確実に減衰させて飛散や跳ね返りを防止して安全性と取扱い性の向上を図るトスバッテイング用ネット装置を提供することを目的に提案されたものである。
【課題を解決するための手段】
【０００７】
上述した目的を達成する本考案にかかるトスバッテイング用ネット装置は、第１フレーム体と第２フレーム体と第３フレーム体とによって構成されるフレーム体に対して打球受けネット体と球速吸収ネット体と集球シート体を組み付けて構成する。トスバッテイング用ネット装置は、第１フレーム体が、複数のロッド部材を組み合わせて全体略枠状に構成される。トスバッテイング用ネット装置は、第２フレーム体が、複数のロッド部材を組み合わせて第１フレーム体の横幅と略等しい横幅を有する全体略逆Ｕ字状に構成され、第１フレーム体の両側部位に対して相対する上方部位が回動自在に組み合わされることにより底部が第１フレーム体の底部に対して所定の間隔を以って展開される。トスバッテイング用ネット装置は、第３フレーム体が、複数のロッド部材を組み合わせて第２フレーム体の横幅と略等しい長さを有する全体略横向きコ字状に構成され、第２フレーム体の両側上方部位間を連結して背面側に突出して組み合わされる。
【０００８】
本考案にかかるトスバッテイング用ネット装置は、打球受けネット体が、展開した第１フレーム体と第２フレーム体によって構成される空間部と略等しい外形寸法を有し前面部と底面部とが開放された略箱状体に構成され、各稜線部位を第１フレーム体と第２フレーム体に掛け止めするとともに天井部の背面側稜線部位を第３フレーム体に吊り下げられることにより、内部に打球打ち込み空間部を構成する。トスバッテイング用ネット装置は、球速吸収ネット体が、打球受けネット体の天井部から吊り下げられ、打球打ち込み空間部に打ち込まれたボールの球速を吸収する。トスバッテイング用ネット装置は、集球シート体が、全体略矩形枠状を呈する立ち上り外周部と、この立ち上り外周部の下端部に沿って外周縁を全周に亘って一体化されるとともに略中央部にボール回収孔が設けられた底面部とから構成され、立ち上り外周部を第１フレーム体と第２フレーム体の下方部位に掛け合わすことにより底面部が下方に撓んでボール回収孔を頂点部位とする略漏斗状を呈して打球打ち込み空間部の底面部を構成する。トスバッテイング用ネット装置は、ボール供給筒体が、集球シート体のボール回収孔と打球打ち込み空間部の開放された前面部側に位置して設置されたボールトス装置との間を接続して設けられ、打球打ち込み空間部に打ち込まれて集球シート体により回収されたボールをボールトス装置へと供給する。
【０００９】
本考案にかかるトスバッテイング用ネット装置は、打球受けネット体が第３フレーム体に対して背面部が弛んだ状態で吊り下げられ、球速吸収ネット体でボールの球速を吸収しきれかった場合でも背面部で球速を確実に吸収する。また、本考案にかかるトスバッテイング用ネット装置は、集球シート体が、底面部と第１フレーム体の底辺部との間に張架した引張り弾性手段の弾性力により、漏斗状形状を保持される。
【００１０】
本考案にかかるトスバッテイング用ネット装置においては、バッターが第１フレーム体の前方に立ってバットをかまえ、ボールトス装置から一定の間隔でトスされるボールを打球打ち込み空間部内へと打ち込む。トスバッテイング用ネット装置においては、吊り下げられた球速吸収ネット体が打ち込まれたボールを包み込むように変形してボールの球速を吸収し、集球シート体の底面部上に落下させる。トスバッテイング用ネット装置においては、集球シート体の底面部上に落下したボールが漏斗状形状の底面部をボール回収孔に向かって転がり、ボール供給筒体内において整列されてボールトス装置に順序よく再供給されるようにする。トスバッテイング用ネット装置においては、ボールトス装置と組み合わせて用いることにより、ボールをトスする介添え者を不要とするとともにボールを拾い集めることも不要としかつ多くのボールを用いることなく手軽で効率的なトスバッテイング練習を行うことを可能とする。
【００１１】
本考案にかかるトスバッテイング用ネット装置においては、球速吸収ネット体で吸収し得ないほどの球速でボールが打ち込まれた場合や打球打ち込み空間部内にずれた角度で打ち込まれることにより打球受けネット体の側面部に沿って後方へと飛んだボールがあった場合でも、打球受けネット体の弛んだ状態で吊り下げられた背面部において確実に受け止められるようにする。トスバッテイング用ネット装置においては、方向がずれて打球受けネット体に当たったボールも、打球受けネット体の側面部や背面部で受け止められて集球シート体の底面部上に落下させるようにし、この集球シート体を介してボールトス装置に再供給される。
【００１２】
本考案にかかるトスバッテイング用ネット装置においては、第１フレーム体乃至第３フレーム体が例えばつなぎ合わせ自在なアルミ製パイプ材等からなる複数のロッド部材を簡単な操作で所定形状に組み合わされ、それぞれを組み合わせてフレーム体を構成する。トスバッテイング用ネット装置においては、フレーム体を包み込むようにして打球受けネット体を取り付けるとともに、球速吸収ネット体を吊り下げて構成する。トスバッテイング用ネット装置においては、組立分解が容易で軽量であることから取り扱いが簡便であり、また各フレーム体を分解することにより何処へでも手軽に持ち運びすることが可能となるとともに未使用時の保管にも場所をとることは無い。
【考案の効果】
【００１３】
本考案にかかるトスバッテイング用ネット装置は、第１フレーム体と第２フレーム体と第３フレーム体とを組み合わせたフレーム体に打球受けネット体と球速吸収ネット体と集球シート体を掛け止めして内部に打球打ち込み空間部を構成し、打球打ち込み空間部に打ち込まれたボールを確実に捕らえてその球速を吸収するとともに集球シート体上に落下させてボール回収孔に集め、ボール供給筒体を介してボールトス装置へと自動的に再供給するように構成される。したがって、トスバッテイング用ネット装置によれば、ボールを拾い集めるために練習を中断することが解消されて集中してトスバッテイング練習を効率的に行うことを可能とするとともに、ボールの球速を確実に減衰させ飛散や跳ね返りが防止されて安全性の向上が図られる。また、トスバッテイング用ネット装置によれば、ボールをトスする介添者を不要とすることにより一人でも手軽にトスバッテイング練習を行うことを可能とするとともに、コーチがバットスイング等を注視して的確な助言が得られるようにもなる。さらに、トスバッテイング用ネット装置によれば、各フレーム体の組立分解が容易で軽量であることから取り扱いが簡便であり、また各フレーム体を分解することにより何処へでも手軽に持ち運びすることが可能となるとともに未使用時の保管にも場所をとることも無い。
【考案を実施するための最良の形態】
【００１４】
以下、本考案の実施の形態として図面に示したトスバッテイング用ネット装置（以下、ネット装置と略称する。）１について詳細に説明する。ネット装置１は、ボールトス装置２と組み合わされて用いられ、図１及び図２に示すように前方部を開口して内部に構成した打球打ち込み空間部３にバッターＰが打ったボールＢが打ち込まれるとこのボールＢを確実に受け止めるとともに整列した状態でボールトス装置２に供給することにより、連続してトスバッテイング練習を行うことを可能とする。なお、以下の説明において「左右・上下」の用語は図２を基準として用い、「前後」の用語はバッターＰ側を「前方」として用いるものとする。また、後述する支持ピン１２のように左右一対の部材や部位については、最初に支持ピン１２Ｌ、１２Ｒと表記するが、特に個別に説明する場合を除いて支持ピン１２と総称するものとする。
【００１５】
なお、ボールトス装置２は、詳細を省略するが例えば図１に示すようにネット装置１の開口部の略中央に位置して地上に設置され、モータ等の適宜の駆動源により発射部を駆動することによりバッターＰにめがけてボールＢをトスする。ボールトス装置２は、樋状のボール供給部が設けられて発射部上にボールＢが自動供給されるようにするとともに、発射部が所定の間隔を以って駆動されることでバッターＰに対してボールＢを一定の間隔で自動的にトスする。
【００１６】
ネット装置１は、詳細を後述するように第１フレーム体５と第２フレーム体６と第３フレーム体７を組み合わせて構成したフレーム体４を備える。ネット装置１は、フレーム体４に掛け止めされることにより内部に打球打ち込み空間部３を構成する打球受けネット体８と、この打球受けネット体８内に吊り下げられる球速吸収ネット体９、フレーム体４に掛け止めされることにより打球打ち込み空間部３の底部を構成する集球シート体１０を備える。ネット装置１は、詳細を後述するように打球打ち込み空間部３内に打ち込まれて集球シート体１０により回収したボールＢを整列させた状態で順次ボールトス装置２へと供給するボール供給筒体１１を備える。
【００１７】
フレーム体４は、第１フレーム体５と第２フレーム体６と第３フレーム体７が、図２及び図５に示すようにアルミ製パイプ材等の軽量パイプ材からなる複数本のロッド部材をつなぎ合わせて所定形状に組み合わされる。フレーム体４は、各ロッド部材が、一端側にパイプ材の内径とほぼ等しい外径を有する嵌合部を一体に突出して設け、この嵌合部を相手側の開口端に嵌合することによって互いにつなぎ合わせて組み立てられる。フレーム体４は、各ロッド部材が嵌合部を引き抜くことにより小さく分解することが可能であり、組立分解が容易で軽量であることから取り扱いが簡便である。フレーム体４は、分解することにより何処へでも手軽に持ち運びすることが可能となるとともに未使用時の保管にも場所をとることは無い。なお、フレーム体４は、ロッド部材の組み合わせ本数や形状により適宜の外形寸法や形状とすることが可能である。
【００１８】
第１フレーム体５は、図５に示すようにＬ字状に形成されて各コーナ部を構成する４本のコーナロッド部材５Ａ〜５Ｄと、後述するようにこれらコーナロッド部材５Ａ〜５Ｄ間を接続する６本の略直管状の接続ロッド部材５Ｅ〜５Ｊを組み合わせて構成される。第１フレーム体５は、左上部と左下部のコーナロッド部材５Ａ、５Ｂ間を連結された２本の接続ロッド部材５Ｅ、５Ｆにより連結する。第１フレーム体５は、右上部と右下部のコーナロッド部材５Ｃ、５Ｄ間を連結された２本の接続ロッド部材５Ｇ、５Ｈにより連結する。第１フレーム体５は、左上部のコーナロッド部材５Ａと右上部のコーナロッド部材５Ｃ間を接続ロッド部材５Ｉにより連結する。第１フレーム体５は、左下部のコーナロッド部材５Ｂと右下部のコーナロッド部材５Ｄ間を接続ロッド部材５Ｊにより連結する。第１フレーム体５は、各ロッド部材５Ａ〜５Ｊをこのように組み合わせることにより縦長矩形の枠体に構成される。第１フレーム体５は、左右の上部に組み合わされる接続ロッド部材５Ｅ、５Ｇが略くの字状に折曲して形成されている。
【００１９】
上述した第１フレーム体５には、上部のコーナロッド部材５Ａ、５Ｃに、後述するように第２フレーム体６を回動自在に組み合わせるための支持ピン１２Ｌ、１２Ｒが設けられている。第１フレーム体５には、左側下部コーナロッド部材５Ｂに、後述するように集球シート体１０の左側前方部位を掛け合わせるための掛け合わせ金具１３Ｌや止め金具１４Ｌが設けられている。第１フレーム体５には、同様にして右側下部コーナロッド部材５Ｄに右側前方部位を掛け合わせるための掛け合わせ金具１３Ｒや止め金具１４Ｒが設けられている。
【００２０】
第１フレーム体５には、左側下部連結ロッド部材５Ｆに第２フレーム体６を回動して拡げた状態に保持する左側リンク機構１６Ｌの第１リンクレバー１６ＬＡを連結する連結ピン１５Ｌが設けられている。第１フレーム体５には、右側下部連結ロッド部材５Ｈに第２フレーム体６を回動して拡げた状態に保持する右側リンク機構１６Ｒの第１リンクレバー１６ＲＡを連結する連結ピン１５Ｒが設けられている。
【００２１】
なお、第１フレーム体５は、各ロッド部材Ａ〜５Ｊの適宜の位置に掛け合わせ金具１３や止め金具１４を設けるようにしてもよい。掛け合わせ金具１３は、詳細を省略するが、例えば半割構造の筒部とフック状の金具が一体に形成され、コーナロッド部材５Ｂ、５Ｄに筒部を嵌合して締め付けボルトを締め付けることにより取り付けられる部材である。掛け合わせ金具１３は、かかる構造によりコーナロッド部材５Ｂ、５Ｄに沿って適宜の位置に移動して固定することが可能であり、また他の連結ロッド部材に取り付けて用いることも可能である。
【００２２】
第２フレーム体６は、図５に示すようにＬ字状に形成されて下部のコーナ部を構成する２本のコーナロッド部材６Ａ、６Ｂと、これらコーナロッド部材６Ａ、６Ｂ間を接続する略直管状の接続ロッド部材６Ｃと、左側コーナロッド部材６Ａに対して互いに高さ方向に接続して組み合すことにより左側フレーム部を構成する３本の接続ロッド部材６Ｄ〜６Ｆと、右側コーナロッド部材６Ｂに対して互いに高さ方向に接続して組み合わすことにより右側フレーム部を構成する３本の接続ロッド部材６Ｇ〜６Ｉを組み合わせて構成される。第２フレーム体６は、９本のロッド部材６Ａ〜６Ｉをこのように組み合わせることにより全体が略逆Ｕ字状に構成される。
【００２３】
第２フレーム体６は、第１フレーム体５に対して、横幅がほぼ等しくかつ高さがやや低い外形寸法とされる。第２フレーム体６は、左右の上部接続ロッド部材６Ｆ、６Ｉが略く字状に折曲され、詳細を省略するが上端部に第１フレーム体５側の支持ピン１２が貫通する貫通孔が設けられている。第２フレーム体６は、貫通孔に支持ピン１２を貫通させるとともにこの支持ピン１２を止めリング１７Ｌ、１７Ｒにより抜け止めすることによって支点部を構成し、この支点部を介して上端部が第１フレーム体５の上方部位に対して回動自在に組み合わされる。
【００２４】
第２フレーム体６には、左右の中央接続ロッド部材６Ｅ、６Ｈに、第１フレーム体５側の連結ロッド部材５Ｆ、５Ｈに設けた連結ピン１５に対応してそれぞれ連結ピン１８Ｌ、１８Ｒが設けられている。第２フレーム体６には、各連結ピン１８にリンク機構１６Ｌ、１６Ｒの第２リンクレバー１６ＬＢ、１６ＲＢがそれぞれ連結される。第２フレーム体６は、第１フレーム体５に対して上述した支点部を介して回動操作されると、リンク機構１６の第１リンクレバー１６Ａと第２リンクレバー１６Ｂが展開動作して下方部位間を所定の間隔に保持されるようにする。フレーム体４においては、第１フレーム体５に対して支点部を介して第２フレーム体６が、図３に示すように側面形状を略三角形状にして展開操作される。
【００２５】
第２フレーム体６には、左右の下部接続ロッド部材６Ｄ、６Ｇに相対してそれぞれＬ字状の掛け合わせ金具１９Ｌ、１９Ｒが設けられるとともに、これら下部接続ロッド部材６Ｄ、６Ｇに複数本のロッド部材２０Ａ〜２０Ｃをつなぎ合わせた間隔保持ロッド２０を架け渡して対向間隔が保持されるようにしている。なお、第２フレーム体６には、他のロッド部材に対して掛け合わせ金具１９を設うけたり、上述した第１フレーム体５に設ける掛け合わせ金具１５を取り付けるようにしてもよい。また、第２フレーム体６には、上方部位に位置して間隔保持ロッド２０を追加して設けるようにしてもよい。
【００２６】
第２フレーム体６には、左右の上部接続ロッド部材６Ｆ、６Ｉの折曲部位に位置してそれぞれパイプ材により形成された連結部２１Ｌ、２１Ｒが一体に突設されている。第２フレーム体６には、連結部２１を介して第３フレーム体７が組み合わされる。第３フレーム体７は、図５に示すようにＬ字状に形成されて左右のコーナ部を構成する２本のコーナロッド部材７Ａ、７Ｂと、これらコーナロッド部材７Ａ、７Ｂ間を接続する略直管状の接続ロッド部材７Ｃを組み合わせることにより、第２フレーム体６の横幅と略等しい長さを有する全体が略横向きコ字状に構成される。
【００２７】
第３フレーム体７は、左側コーナロッド部材７Ａの一端部を左側上部接続ロッド部材６Ｆに設けた連結部２１と連結するとともに、右側コーナロッド部材７Ｂの一端部を右側上部接続ロッド部材６Ｉに設けた連結部２１と連結することにより、第２フレーム体６に対してその両側の上方部位間を連結し背面側に突出して組み合わされる。第３フレーム体７は、第１フレーム体５に対して展開された状態で、図３に示すように第２フレーム体６の底部と略対向するようにして突出される。
【００２８】
ネット装置１は、上述したように第１フレーム体５〜第３フレーム体７を組み合わせて構成したフレーム体４に対して、図１乃至図３に示すように打球受けネット体８が外周部を掛け止めされる。打球受けネット体８は、例えば強靱なプラスチック繊維材等を撚り合わせた線材をネット状に編んで、展開した状態の第１フレーム体５〜第３フレーム体７によって構成される空間部と略等しい外形寸法を有し、前面部と底面部とが開放された左右側面部８Ａ、８Ｂと、天井部８Ｃと、背面部８Ｄとからなる略箱状を呈して形成される。打球受けネット体８は、後述するようにフレーム体４に掛け止めした状態で、各部がそれぞれ撓んだ状態となるようにフレーム体４によって構成される空間部よりもやや大きめに形成されている。
【００２９】
打球受けネット体８には、図１乃至図３及び図６に示すように稜線部にフレーム体４に掛け止めするための多数個の掛け止め部２２が設けられている。掛け止め部２２には、例えばベルクロ（登録商標）やマジックテープ（登録商標）と称される所定幅を有するシート状の面ファスナー体が用いられ、この面ファスナー体を前面開口部を構成する左右側面部８Ａ、８Ｂの開口縁に沿って高さ方向に並んで取り付けるとともに天井部８Ｃの開口縁に沿って横方向に並んで取り付ける。打球受けネット体８は、図１乃至図３に示すようにこれら面ファスナー体を第１フレーム体５や第２フレーム体６に巻き付けて固定することにより、これら第１フレーム体５や第２フレーム体６に各稜線部が掛け止めされる。打球受けネット体８は、掛け止め部２２を面ファスナー体によって構成することによりフレーム体４に対して簡易な操作により着脱自在とされる。なお、打球受けネット体８は、掛け止め部２２が面ファスナー体に限定されず、例えば金属製や合成樹脂製のフック体を用いるようにしてもよい。
【００３０】
打球受けネット体８には、図３及び図６に示すように天井部８Ｃと背面部８Ｄとの稜線部に沿って複数本の吊り下げ紐２３が設けられている。打球受けネット体８は、詳細を省略するが各吊り下げ紐２３の先端部に設けたフックを第３フレーム体７に掛け合わせることにより、天井部８Ｃが後ろ下がりの状態となって背面部８Ｄを弛んだ状態で吊り下げるようにする。
打球受けネット体８は、上述したように背面部８Ｄを弛んだ状態で第３フレーム体７から吊り下げるようにしたことから、後述するように打球打ち込み空間部３に打ち込まれたボールＢが球速吸収ネット体９を通過して背面部８Ｄに達した場合でも、このボールＢを背面部８Ｄによって確実に受け止めるようにする。また、打球受けネット体８は、ボールＢが打球打ち込み空間部３内にずれた角度で打ち込まれ球速吸収ネット体９に引っ掛からずに左右側面部８Ａ、８Ｂに沿って後方へと飛んだ場合でも、このボールＢを背面部８Ｄによって確実に受け止めるようにする。
【００３１】
打球受けネット体８は、フレーム体４に対して上述したように掛け止め部２２や吊り下げ紐２３を介して掛け止めして組み付けられることにより、内部に打球打ち込み空間部３を構成する。打球受けネット体８は、掛け止め部２２や吊り下げ紐２３を介してフレーム体４から簡単に取り外すことが可能であり、小さく折り畳んでフレーム体４とともに何処へでも手軽に持ち運びすることが可能となるとともに未使用時の保管にも場所をとることは無い。
【００３２】
打球受けネット体８には、図２及び図６に示すように、天井部８Ｃに背面部８Ｄと対向して球速吸収ネット体９が垂れ幕のようにして吊り下げられる。球速吸収ネット体９も、例えば強靱なプラスチック繊維材等を撚り合わせた線材をネット状に編んで形成され、打球受けネット体８の背面部８Ｄに対してほぼ等しい横幅と短い長さを有している。球速吸収ネット体９は、打球受けネット体８の天井部８Ｃに、前後方向に中央部からやや背面側に位置して吊り下げられている。
打球受けネット体８には、打球打ち込み空間部３に打ち込まれたボールＢが大きな球速を以って突き当たる。打球受けネット体８は、打球打ち込み空間部３内に吊り下げられて設けられていることから、ボールＢが突き当たるとこれを包み込むようにして変形することによりボールＢの球速を吸収して、打球打ち込み空間部３の底面部を構成してフレーム体４に組み合わされた集球シート体１０上へと落下させる。なお、打球受けネット体８は、ネット体に限定されず、例えば強靱なプラスチック繊維材等により織られたシート体であってもよい。
【００３３】
集球シート体１０は、例えば強靱なプラスチック繊維材等により織られたシート材により形成され、図４及び図７に示すように全体略矩形枠状を呈する立上り外周部１０Ａと、この立上り外周部１０Ａの下端部に沿って外周縁を全周に亘って一体化された底面部１０Ｂとから構成される。集球シート体１０は、立上り外周部１０Ａが、上述した第１フレーム体５の左右下部コーナロッド部材５Ｂ、５Ｄと第２フレーム体６の左右下部接続ロッド部材６Ｄ、６Ｇによって囲まれた矩形空間部とほぼ等しい外形寸法を有して形成されている。集球シート体１０は、立上り外周部１０Ａの各コーナ部に、第１フレーム体５の下部コーナロッド部材５Ｂ、５Ｄに設けた掛け合わせ金具１３と第２フレーム体６の下部接続ロッド部材６Ｄ、６Ｇに設けた掛け合わせ金具１９にそれぞれ掛け合わされる掛け合わせ筒部２４Ａ〜２４Ｄが一体に設けられている。
【００３４】
集球シート体１０は、前方左側の掛け合わせ筒部２４Ａを掛け合わせ金具１３Ｌに掛け止めするとともに前方右側の掛け合わせ筒部２４Ｂを掛け合わせ金具１３Ｒに掛け止めすることにより、立上り外周部１０Ａの前方部位を第１フレーム体５に組み合わされる。集球シート体１０は、後方左側の掛け合わせ筒部２４Ｃを掛け合わせ金具１９Ｌに掛け止めするとともに後方右側の掛け合わせ筒部２４Ｄを掛け合わせ金具１９Ｒに掛け止めすることにより、立ち上り外周部１０Ａの後方部位を第２フレーム体６に組み合わされる。
集球シート体１０は、このようにして立ち上り外周部１０Ａが第１フレーム体５と第２フレーム体６に組み合わされることにより、地面から所定の高さ位置で前下がりの状態となってフレーム体４に組み合わされる。集球シート体１０は、図４に示すようにボールトス装置２よりもやや高い位置においてフレーム体４に組み合わされる。
【００３５】
集球シート体１０は、底面部１０Ｂが立ち上り外周部１０Ａに囲まれた空間部よりも大きな外形寸法によって形成される。集球シート体１０には、底面部１０Ｂに、左右方向の略中央部でかつやや前方側に位置して、ボールＢの外径よりもやや大きな内径のボール回収孔２５が設けられている。集球シート体１０には、底面部１０Ｂに、ボール回収孔２５の前方側に位置してゴムひも等からなり先端にフックを設けた左右一対の弾性体２６Ｌ、２６Ｒが設けられている。集球シート体１０は、弾性体２６が引っ張り状態にしてフックを上述した第１フレーム５側に設うけた相対する止め金具１４に掛け止めすることにより、底面部１０Ｂが図４に示すように下方に引っ張られてボール回収孔２５を頂点部位とする略漏斗状を呈する。したがって、集球シート体１０は、底面部１０Ｂ上に落下したボールＢがボール回収孔２５に向かって転がるようにする。
【００３６】
集球シート体１０には、図２及び図７に示すように立ち上り外周部１０Ａの左右側面部及び背面部の下端部に連設されてネット上のスカート部２７Ａ〜２７Ｃが設けられている。スカート部２７は、接地面から底面部１０Ｂの高さよりもやや大きな高さを有しており、先端部に上述した掛け止め部２２と同様のシート状の面ファスナー体からなる掛け止め部２８が設けられている。スカート部２７は、集球シート体１０がフレーム体４に組み合わされた状態において、各掛け止め部２８を相対する第１フレーム体５のコーナロッド部材５Ａ、５Ｂ及び第２フレーム体６のコーナロッド部材６Ａ、６Ｂに固定することにより、図２に示すように集球シート体１０の下方部位を閉塞してボールＢの飛散を防止する。
【００３７】
集球シート体１０には、図４及び図７に示すように底面部１０Ｂに一端側をボール回収孔２５に連通されてボール供給筒体１１が設けられている。ボール供給筒体１１は、例えば布等を素材として柔軟性を有しボールＢの外径よりもやや大径の筒体であり、先端部が上述したように打球打ち込み空間部３の開放された前面部側に位置して設置されたボールトス装置２のボール送り出し部に接続される。ボール供給筒体１１は、集球シート体１０上に落下してボール回収孔２５内にころがり落ちたボールＢを整列させながらボールトス装置２へと供給する。
【００３８】
以上のように構成されたネット装置１は、フレーム体４を構成する第１フレーム体５と第２フレーム体６と第３フレーム体７が、それぞれのロッド部材を繋ぎ合わすことにより上述したそれぞれの形状に組み立てられる。ネット装置１は、第１フレーム体５に対して第２フレーム体６が、貫通孔に支持ピン１２を貫通されるとともに止めリング１７を締め付けることにより上方部位を回動自在に支持されて組み合わされる。ネット装置１は、第２フレーム体６に対して第３フレーム体７が連結部２１を介して組み合わされる。ネット装置１は、第１フレーム体５に対して第２フレーム体６が回動されて拡げられ、リンク機構１６を介して展開状態を保持される。
【００３９】
ネット装置１は、第１フレーム体５と第２フレーム体６に対して集球シート体１０が、各掛け合わせ筒部２４を相対する掛け合わせ金具１３、１９のフックに嵌合するとともにスカート部２７を拡げて掛け止め部２８を第１フレーム体５と第２フレーム体６の各ロッド部材に巻き付けて固定することにより、組み付けられる。ネット装置１は、この状態で集球シート体１０に設けた弾性体２６を引張り状態でその先端部に設けたフックを相対する第１フレーム体５の止め金具１４に掛け止めする。ネット装置１は、これにより集球シート体１０の底面部１０Ｂがボール回収孔２５を頂点部とする略漏斗状を呈する。
【００４０】
ネット装置１は、打球受けネット体８が拡げられて各稜線部に設けた掛け止め部２２を第１フレーム体５と第２フレーム体６の各ロッド部材に巻き付けて固定することにより、組み付けられる。ネット装置１は、打球受けネット体８が、吊り下げ紐２３の先端部に設けたフックを第３フレーム体７に掛け合わせることにより背面部８Ｄが吊り下げられた状態となる。ネット装置１は、打球受けネット体８が上述した操作により第１フレーム体５と第２フレーム体６と第３フレーム体６５と第２フレーム体６に組み付けられることにより内部に打球打ち込み空間部３を構成する。
【００４１】
ネット装置１は、打球受けネット体８に取り付けられた球速吸収ネット体９が、打球打ち込み空間部３内においてやや弛んだ状態で集球シート体１０の底面部１０Ｂ上に垂れ下がる。ネット装置１は、打球打ち込み空間部３の開口部の略中央に位置してボールトス装置２が地上に設置され、このボールトス装置２のボール供給部に対して一端側を集球シート体１０のボール回収孔２５に接続されたボール供給筒体１１の他端側が接続されることにより設置が完了する。
ネット装置においては、上述したようにフレーム体４が、第１フレーム体５と第２フレーム体６及び第３フレーム体７をそれぞれ軽量のアルミ製パイプ材からなる複数のロッド部材を繋ぎ合わせる簡単な操作で組み立てるとともに、このフレーム体４に打球受けネット体８と球速吸収ネット体９及び集球シート体１０とを掛け合わせて構成する。ネット装置１においては、組立分解が容易であるとともに軽量であって取り扱いが簡便であり、またフレーム体４を分解するとともにネット体８、９と集球シート体１０を折り畳んで何処へでも手軽に持ち運びすることが可能であり、さらに未使用時の保管にも場所をとることは無い。
【００４２】
ネット装置１においては、図１に示すように第１フレーム体５の前方に立ってバットをかまえたバッターＰに対してボールトス装置２から一定の間隔でボールＢがトスされることにより、バッターＰによってボールＢが次々と打球打ち込み空間部３内へと打ち込まれる。ネット装置１においては、打球打ち込み空間部３内に打ち込まれたボールＢが吊り下げられた球速吸収ネット体９に当たり、この球速吸収ネット体９がボールＢを包み込むように変形してその球速を吸収し、集球シート体１０の底面部１０Ｂ上へと落下させる。ネット装置１においては、集球シート体１０が底面部１０Ｂ上に落下したボールＢをその漏斗状形状によりボール回収孔２５に向かって転がるようにし、このボール回収孔２５を介してボール供給筒体１１内において整列させながらボールトス装置２へと順序よく再供給する。
【００４３】
ネット装置１においては、上述したようにボールトス装置２と組み合わせて用いることにより、従来のようにボールＢをトスする介添え者を不要として一人でもトスバッテイング練習を手軽に行うことを可能とする。ネット装置１においては、打球打ち込み空間部３に打ち込まれたボールＢをボールトス装置２へと自動的に再供給することから、大量のボールＢを不要とするとともに、ボールＢを拾い集める面倒が無くなりかつ中断による練習効率の低下が防止されるようにする。
ネット装置１においては、例えば打球打ち込み空間部３内に球速吸収ネット体９で吸収し得ないほどの球速でボールＢが打ち込まれたり、ボールＢが打球打ち込み空間部３内にずれた角度で打ち込まれることにより打球受けネット体８の側面部８Ａ、８Ｂに沿って背面部８Ｄへと飛んでくることがある。ネット装置１においては、上述したように打球受けネット体８の背面部８Ｄを吊り下げ紐２３を介して第３フレーム体７に弛んだ状態で吊り下げたことから、この背面部８ＤがボールＢを包み込むように変形して確実に受け止めるようにする。ネット装置１においては、方向がずれて打球受けネット体８に直接当たったボールＢも、打球受けネット体の側面部８Ａ、８Ｂや背面部８Ｄで受け止めることにより集球シート体１０の底面部１０Ａ上に落下させるようにし、この集球シート体１０を介してボールトス装置２へと再供給する。
【００４４】
なお、トスバッテイング用ネット装置１は、ボールトス装置と組み合わせて用いるようにしたが、ボールトス装置を用いずに例えば指導者等がボールをトスしながらバットスウィングの矯正等を行う場合でも使用可能である。トスバッテイング用ネット装置１においては、この場合に集球シート体に設けたボール回収孔と接続されるボール供給筒体の先端部を指導者の手元まで伸ばすことにより、打球打ち込み空間部に打ち込まれてボールが指導者の手元に自動的に戻すことが可能である。したがって、トスバッテイング用ネット装置１によれば、ボール集めによる中断が解消されて集中力を切らすことなく指導者等とともに効率的なトスバッテイング練習を行うことを可能とする。
【図面の簡単な説明】
【００４５】
【図１】本考案にかかるネット装置の使用状態を示す図である。
【図２】同ネット装置の正面図である。
【図３】同ネット装置の側面図である。
【図４】同ネット装置のボール受け部位を示す要部斜視図である。
【図５】フレーム体の構成を説明する分解斜視図である。
【図６】打球受けネット体と球速吸収ネット体の構成を説明する斜視図である。
【図７】集球シート体の構成を説明する斜視図である。
【符号の説明】
【００４６】
１        ネット装置
２        ボールトス装置
３        打球打ち込み空間部
４        フレーム体
５        第１フレーム体
６        第２フレーム体
７        第３フレーム体
８        打球受けネット体
９        球速吸収ネット体
１０      集球ネット体
１１      ボール供給筒体
１６      リンク機構
２３      吊り下げ紐
２５      ボール回収孔
２６      弾性体
２７      スカート部
【図１】
0003122137.tif 000003
【図２】
0003122137.tif 000004
【図３】
0003122137.tif 000005
【図４】
0003122137.tif 000006
【図５】
0003122137.tif 000007
【図６】
0003122137.tif 000008
【図７】
0003122137.tif 000009